(57)【要約】【課題】  靴を履くときに、苦痛を感じたり転倒したりする恐れがなく、楽に靴を履くことができる靴履き具を提供することを目的とする。【解決手段】  靴載置部５０と、靴載置部５０に載置した靴の踵部に挿入した状態となる位置に設けた靴ベラ５とを備え、靴載置部５０の少なくとも一部を下方に変位させることによって、靴ベラ５を靴から抜き出し可能とする。【選択図】図１
2016077829.tif 000002
【特許請求の範囲】
【請求項１】
靴載置部と、当該靴載置部に載置した靴の踵部に挿入した状態となる位置に設けた靴ベラとを備え、
前記靴載置部の少なくとも一部を下方に変位させることによって、前記靴ベラを前記靴から抜き出し可能に設けた靴履き具。
【請求項２】
前記靴載置部の靴載置面の一部を下方に変位させることにより、前記靴ベラを上方に移動させて前記靴から抜き出す請求項１に記載の靴履き具。
【請求項３】
前記靴載置面の下側に、一端を下方に変位させたときに他端が上方に変位するように設けられた第１部材と、当該第１部材の他端に一端が連結された第２部材とを備え、
前記靴載置面の一部と共に前記第１部材の一端を下方に変位させることによって、前記第１部材の他端と共に前記第２部材を上方に変位させ、前記第２部材の他端が前記靴ベラを上方に移動させるように設けた請求項２に記載の靴履き具。
【請求項４】
前記靴ベラは、支持部の一端から垂下するように形成してあり、前記支持部の他端を支点として揺動可能に形成してある請求項１〜３のいずれか一項に記載も靴履き具。
【請求項５】
前記靴載置部の後方側に、靴の踵部を保持する靴脱ぎ部を設けた請求項１〜４のいずれか一項に記載の靴履き具。
【請求項６】
前記靴載置部は基盤上に一体的に設置してあり、前記基盤の前記靴載置部の両側に足置き部を設けた請求項１〜５のいずれか一項に記載の靴履き具。
【請求項７】
前記基盤を回転自在に設けた請求項６に記載の靴履き具。
【発明の詳細な説明】
【技術分野】
【０００１】  本発明は靴履き具、特に、足腰の衰えを感じる高齢者や、体に不自由を感じる人達にとって、楽に靴を履くことができる靴履き具に関する。
【背景の技術】
【０００２】  靴を履く際に使用する靴ベラとしては、屈んで履く靴ベラか、立って履く長尺の棒状の靴ベラが一般的である。
屈んで履く靴ベラを使用して靴を履く場合には、通常、屈みながら踵を上げた状態から靴に挿入した靴ベラに沿わせて踵を靴にすべり込ませる。また、立って履く長尺の棒状の靴ベラを使用して靴を履く場合には、立った状態で一方の足に体重をかけながら前屈みになり、他方の足の踵を靴ベラに沿わせて靴にすべり込ませる。
【発明の概要】
【発明が解決しようとする課題】
【０００３】  しかしながら、従来の屈んで靴を履く行為は、膝に負担がかかり、特に高齢者や体に不自由を感じる人たちにとっては、苦痛を感じるものであった。また、靴を履いた後、立ち上がる際に、バランスを崩したり、立ち眩みしたりすることによって、転倒する恐れもあった。一方、立って履く行為においても、片足に体重をかけながら前屈みになるため、高齢者や体に不自由を感じる人たちにとっては、バランスを崩して転倒する危険性があった。
本発明は、上記課題に鑑みてなされたものであり、靴を履くときに、苦痛を感じたり転倒したりする恐れがなく、楽に靴を履くことができる靴履き具を提供することを目的とする。
【問題を解決するための手段】
【０００４】  上記目的を達成するための本発明に係る靴履き具の第１特徴構成は、靴載置部と、当該靴載置部に載置した靴の踵部に挿入した状態となる位置に設けた靴ベラとを備え、前記靴載置部の少なくとも一部を下方に変位させることによって、前記靴ベラを前記靴から抜き出し可能に設けた点にある。
【０００５】  本構成によれば、予め靴ベラが挿入された靴に足を入れることによって、靴を履くことができると共に、靴載置部の少なくとも一部を下方に変位させることによって手を使うことなく靴ベラを靴から抜き出すことができる。このため、靴ベラを手で支える必要がなくなり、屈んだり前屈みになったりする必要がなくなる。
したがって、苦痛を感じたり転倒したりする恐れがなくなり、楽に靴を履くことができる。
【０００６】  本発明に係る靴履き具の第２特徴構成は、前記靴載置部の靴載置面の一部を下方に変位させることにより、前記靴ベラを上方に移動させて前記靴から抜き出す点にある。
【０００７】  本構成によれば、靴載置面の一部を下方に変位させることで、靴ベラを靴から抜き出すことができるため、楽に靴を履くことができる。
【０００８】  本発明に係る靴履き具の第３特徴構成は、前記靴載置面の下側に、一端を下方に変位させたときに他端が上方に変位するように設けられた第１部材と、当該第１部材の他端に一端が連結された第２部材とを備え、前記靴載置面の一部と共に前記第１部材の一端を下方に変位させることによって、前記第１部材の他端と共に前記第２部材を上方に変位させ、前記第２部材の他端が前記靴ベラを上方に移動させるように設けた点にある。
【０００９】  本構成によれば、靴載置面と共に第１部材の一端を下方に変位させることで、テコの原理によって靴ベラを靴から抜き出すことができるため、力を入れることなく楽に靴を履くことができる。
【００１０】  本発明に係る靴履き具の第４特徴構成は、前記靴ベラを、支持部の一端から垂下するように形成し、前記支持部の他端を支点として揺動可能に形成した点にある。
【００１１】  本構成によれば、靴ベラは、支持部の他端を支点として靴の後方にスムーズに抜き出すことができるため、楽に靴を履くことができる。
【００１２】  本発明に係る靴履き具の第５特徴構成は、前記靴載置部の後方側に、靴の踵部を保持する靴脱ぎ部を設けた点にある。
【００１３】  本構成によれば、靴を履くときだけでなく、靴を脱ぐ際にも、靴脱ぎ部に靴の踵部を保持させて踵を上げることによって、手を使ったり、一方の足で他方の靴の踵を踏んだりすることなく、靴を脱ぐことができるため、バランスを崩すことなく、安全にかつ楽に靴を脱ぐことができる。
【００１４】  本発明に係る靴履き具の第６特徴構成は、前記靴載置部が基盤上に一体的に設置してあり、前記基盤の前記靴載置部の両側に足置き部を設けた点にある。
【００１５】  本構成によれば、一方の足で靴を履く際に、他方の足を足置き部に置くことによって、靴を履く動作で靴載置部が動くのを抑えることができるため、より楽に靴を履くことができる。
【００１６】  本発明に係る靴履き具の第７特徴構成は、前記基盤を回転自在に設けた点にある。
【００１７】  本構成によれば、基板を回転させることによって、靴載置部の方向を自由に変えることができるため、任意の姿勢で楽に靴を履くことができる。
【図面の簡単な説明】
【００１８】
【図１】靴履き具の斜視図
【図２】靴履き具の断面図
【図３】靴履き具の上面図
【図４】靴履き具の第２の基盤の上面図
【図５】靴載置面の説明図
【発明を実施するための形態】
【００１９】  本発明に係る靴履き具は、靴を載置するための靴載置部と、当該靴載置部に載置した靴の踵部に挿入した状態となる位置に設けた靴ベラとを備え、前記靴載置部に載置した前記靴に足を入れて前記靴を履いた後、前記靴載置部の少なくとも一部を下方に変位させることによって、前記靴ベラを前記靴から抜き出し可能に設けたものである。
以下、本発明に係る靴履き具の一実施形態について、図面を参照して説明する。
【００２０】  本実施形態に係る靴履き具１００は、図１〜５に示すように、略円形の基盤上の中央部分に靴を載置する靴載置部５０が設置してあり、靴載置部５０の後方側、すなわち靴を載置したときの踵に相当する側には、靴脱ぎ部６が設けてある。基盤上の靴載置部５０の両側には、足置き部３が設けてあり、足置き部３には一般的な凹凸状の滑り止めシートが貼り付けてある。また、靴載置部５０には取手７が取り付けてある。
【００２１】  基盤は、第１の基盤４と第２の基盤１３とで形成してあり、第１の基盤４と第２の基盤１３とは、それぞれの中心部において回転軸８で連結してある。第１の基盤４と第２の基盤１３との間の第２の基盤１３側の表面には複数の凹部１５が設けてあり、それぞれの凹部１５に鉄球１４を、その一部が第２の基盤１３の表面から突出するように収容することで、第２の基盤１３に対して第１の基盤４が回転自在となるように構成してある。また、第２の基盤１３の円周上には、径方向に沿って揺動可能な回転止め１２が設けてあり、第１の基盤４の円周上に形成された切欠き部と係合可能に構成してある。第１の基盤４は、切欠き部を中心部に対して点対称となる位置に２箇所設けることで、第２の基盤１３に対して半回転毎に回転を止めて固定することができる。
【００２２】  靴載置部５０は、靴載置面１と靴載置面１のつま先側を除く周囲に立設された壁部１０とを備えており、壁部１０は、靴載置面１の両側に、つま先側から踵側に向かって徐々に高くなるように設けられた側壁と、踵側において靴の踵に沿う形状に設けられた後壁とを有し、側壁と後壁とが連続してつながるように形成してある。
【００２３】  靴載置部５０には、靴ベラ５が設けてある。靴ベラ５は、靴載置部５０の後壁の上端部に設置された支持部の一端から靴載置面１側に垂下するように形成してあり、支持部の他端と後壁の上端部とを連結させることで、支持部の他端を支点として後壁に対し揺動可能となっている。
【００２４】  靴載置面１は、つま先側面部と、踵側面部と、つま先側面部と踵側面部との間の中間面部とに分かれており、つま先側面部と中間面部、中間面部と踵側面部は、それぞれ蝶番２を介して連結してある。また、靴載置面１は、中間面部が靴載置部５０の底面１１に２つのビス１６を介して固定してあり、これにより、つま先側面部及び踵側面部が、靴載置部５０に対して揺動可能となっている。
【００２５】  靴載置部５０には、靴載置面１のつま先側面部を下方に揺動させることにより、靴ベラ５を上方に揺動させる連動手段１７が設けてある。連動手段１７は、２つの棒状部材を角度を付けて連結させて一端を下方に変位させたときに他端が上方に変位する第１部材と、第１部材の他端に一端が連結された第２部材とから構成される。第１部材は、一端が靴載置部５０の底面の孔９からつま先側面部の下側に突出するように、他端が靴設置部の底面１１の下側において靴ベラ５の支持部の下方に位置するように設置してあり、第２部材は、後壁の内部において第１部材の他端から略鉛直上方に向かって設置し、第２部材の他端が後壁の上端から靴ベラ５の支持部の下側に突出可能となるようにしてある。このような構成により、靴載置面１のつま先側面部を下方に揺動させると、つま先側面部が第１部材の一端を下方に押し込み、第１部材の他端が上方に変位する。そして、これに伴い、第２部材が上方に移動し、第２部材の他端が支持部を押し上げることで、靴ベラ５を上方に揺動させることができる。したがって、靴載置部５０に靴を載置し、靴ベラ５を靴の踵部に挿入した状態にして靴を履いたときには、そのまま、靴載置面１のつま先側面部を下方に踏み込むことで、靴ベラ５を靴の踵部に挿入した状態となる位置から、靴から抜き出した状態の位置に容易に変位させることができる。
【００２６】  靴脱ぎ部６は、Ｕ字状に切り欠いたものであり、切欠き面には硬質ゴムが貼り付けてある。靴の踵を切欠き面に当てて踵を上げることにより、靴が硬質ゴムとの摩擦によって保持されるため、容易に靴を脱ぐことができる。
【００２７】  本発明に係る靴履き具の一例として、上記の実施形態について説明したが、これに限定されない。例えば、靴ベラを固定した状態で、靴載置面全体を下方に変位させることで、靴ベラを靴から抜き出し可能とすることもできる。
【符号の説明】
【００２８】１        靴載置面
３        足置き部
４        第１の基盤（基盤）
５        靴ベラ
６        靴脱ぎ部
１３      第２の基盤（基盤）
１７      連結手段（第１部材、第２部材）
５０      靴載置部
１００    靴履き具
【図１】
2016077829.tif 000003
【図２】
2016077829.tif 000004
【図３】
2016077829.tif 000005
【図４】
2016077829.tif 000006
【図５】
2016077829.tif 000007